(57)【要約】【課題】      撹拌がし易く、粉砕用の刃が強固で刺しやすい釣餌用撹拌具を提供することである。【解決手段】  釣餌用撹拌具は、撹拌部１が鋼材などの金属のフレ−ム２と板状の金属刃材の刃３で構成され、フレ−ム２は断面円型の金属製棒杆を屈して、横杆部２ａと横杆部２ａの両端から前方に向けて屈曲形成された左右のフレ−ム片２ｂ、２ｃで二股状に一体に形成されて左右のフレ−ム片２ｂ、２ｃの先端内側には夫々溝２ｄ、２ｅが互いに対向するように形成され、両溝２ｄ、２ｅには刃３の両端が差し込まれて溶接等で溶着され、刃３はフレ−ム２より肉薄に形成されて刃先の刃部３ａが先に向かって薄く楔形になっているが、その他は同じ厚さに形成されている。  刃３の後側とフレ−ム２との間で空間部Ａが設けられている。【選択図】        図２
2010004833.tif 000002
【特許請求の範囲】
【請求項１】
撹拌部を二股状に形成したフレ−ムの左右フレ−ム片の先端に溝を設け、該溝に刃を差し込んで前記左右フレ−ム片の間に取り付けたことを特徴とする釣餌用撹拌具。
【請求項２】
撹拌部は内側に空間部が形成されていることを特徴とする請求項１に記載の釣餌用撹拌具。
【発明の詳細な説明】
【技術分野】
【０００１】
本発明は、釣りで使用する釣餌用撹拌具に関する。
【背景技術】
【０００２】
従来から釣りにおいて、撒き餌を使用し魚を寄せて釣ることが行われている。
撒き餌は、オキアミ等の冷凍ブロックや粉末状の配合餌が使用されこれらをバケツ内で崩したりかき混ぜたりしてそれぞれ好みの撒き餌を作っていた。
上記撒き餌を作るために釣餌用撹拌具が使用され、オキアミ等の冷凍ブロックを砕いたり、粉末状の配合餌をかき混ぜるため特許文献１のような軸部の一端にへら状の撹拌部を有し他端に握持部を有するものが使用されている。
また、例えば、特許文献２のようなフレ−ム状に形成され、中央側に空間が形成された撹拌部を有する釣餌用撹拌具が記載されている。
特許文献１の釣餌用撹拌具では、へら状の撹拌部のため撹拌する餌に対して撹拌抵抗が強く、かきまわし難く、へら状の撹拌部が歪んでしまう欠点がある。
特許文献２の釣餌用撹拌具では、中央側に空間があるので撹拌がし易いが、フレ−ムの先端を傾斜状にして一体の刃が形成されているので冷凍ブロックに対し十分に刺さらない欠点がある。
【特許文献１】特開２００１−１３６８８２号公報
【特許文献２】特開２００５−７３５９６号公報
【発明の開示】
【発明が解決しようとする課題】
【０００３】
解決しようとする問題点は、特許文献１では撹拌し難く、特許文献２では冷凍ブロックに対し刺さりにくいことである。
【０００４】
本発明の目的は前記欠点に鑑み、撹拌がし易く、粉砕用の刃が強固で刺しやすい釣餌用撹拌具を提供することである。
【課題を解決するための手段】
【０００５】
本発明の請求項１は、撹拌部を二股状に形成したフレ−ムの左右フレ−ム片の先端に溝を設け、該溝に刃を差し込んで前記左右フレ−ム片の間に取り付けたことを要旨とするものである。
本発明の請求項１は、撹拌部は内側に空間部が形成されていることを特徴とすることを要旨とするものである。
【発明の効果】
【０００６】
本発明の請求項により、撹拌部の刃はフレ−ムの左右フレ−ム片の間で保持されているので撓んだり破損することがなく、フレ−ムと刃で刃の後側に空間部が設けられたので撹拌がし易く、確実に撹拌することが出来る。
【発明を実施するための最良の形態】
【０００７】
釣餌用撹拌具は、撹拌部１が鋼材のフレ−ム２と板状の刃材の刃３で構成されている。
フレ−ム２は横杆部２ａと横杆部２ａの両端から前方に向けて屈曲形成された左右のフレ−ム片２ｂ、２ｃで二股状に形成されている。
左右のフレ−ム片２ｂ、２ｃの先端内側には夫々溝２ｄ、２ｅが形成されている。
両溝２ｄ、２ｅには刃３の両端が差し込まれて溶接等で溶着されている。
刃３の後側とフレ−ム２との間で空間部Ａが設けられている。
刃３の前部は楔形に形成されて刃部３ａとなっている。
【実施例１】
【０００８】
以下、図示の一実施例によって本発明を説明すると、図１（ａ）は釣餌用撹拌具の正面図で（ｂ）は釣餌用撹拌具の側面図、図２は釣餌用撹拌具の撹拌部の拡大断面正面図、図３は釣餌用撹拌具の刃側から見た側面図である。
【０００９】
釣餌用撹拌具は、撹拌部１が鋼材などの金属のフレ−ム２と板状の金属刃材の刃３で構成されている。
フレ−ム２は断面円型の金属製棒杆を屈して、横杆部２ａと横杆部２ａの両端から前方に向けて屈曲形成された左右のフレ−ム片２ｂ、２ｃで二股状に一体に形成されている。
左右のフレ−ム片２ｂ、２ｃの先端内側には夫々溝２ｄ、２ｅが互いに対向するように形成されている。
両溝２ｄ、２ｅには刃３の両端が差し込まれて溶接等で溶着されている。
刃３はフレ−ム２より肉薄に形成され、刃先の刃部３ａが先に向かって薄くなっているが、その他は同じ厚さに形成されている。
刃３の後側とフレ−ム２との間で空間部Ａが設けられている。
刃３の前部は楔形に形成されて刃部３ａとなっている。
刃部３ａには複数のＶ字形切込み３ｂが形成されている。
刃３の背面にも適宜凹部３ｃが形成されている。
フレ−ム２の横杆部２ａの中央に支持体４が固定されて支持体４に軸部５の一端が螺子部で取り付けられている。
軸部５の他端には２つの握り部１０、１１が固定されて両手で握持して冷凍ブロックなどに対応出来るようになっている。
【００１０】
釣餌用撹拌具で冷凍ブロックが粉砕される時には握り部１０、１１が握持されて刃部３ａを冷凍ブロックに突き刺すように打ち込まれる。
刃３は太い（厚みが大きい）フレ−ム２に固定されているので、撓むことなく打ち込んで粉砕出来る。
釣餌用撹拌具で冷凍ブロックから粉砕したオキアミ等に粉末状の配合餌が加えられて撹拌される時は片手で握り部１０または１１が握持されて撹拌される。
この時刃３の後側に空間部Ａが設けられ、刃３は骨太のフレ−ム２の左右フレ−ム片２ｂ、２ｃの間で保持されているので撹拌がし易く、撹拌部１が破損することがなく、確実に撹拌することが出来る。
図１（ａ）の２点鎖線のように支持体４を刃３の後側方向に延長して刃３を支持してもよい。
【００１１】
前記のように釣餌用撹拌具が構成されると、撹拌部１の刃３は骨太のフレ−ム２の左右フレ−ム片２ｂ、２ｃの間で保持されているので撓んだり破損することがなく、フレ−ム２と刃３で刃３の後側に空間部Ａが設けられたので撹拌がし易く、確実に撹拌することが出来る。
なお溝２ｄ、２ｅはフレ−ム片２ｂ、２ｃの先端の内側から外側に貫通させて設けて刃を支持してもよい。
また図１（ａ）の２点鎖線のように支持体４を前方に延長して刃３を後側から支持するとより刃３の撓みが少なくなって冷凍ブロックを粉砕しやすくなる。
【産業上の利用可能性】
【００１２】
本発明は釣餌用撹拌具全般に利用できる。
【図面の簡単な説明】
【００１３】
【図１】（ａ）は釣餌用撹拌具の正面図で（ｂ）は釣餌用撹拌具の側面図である。
【図２】同釣餌用撹拌具の撹拌部の拡大断面正面図である。
【図３】同釣餌用撹拌具の刃側から見た側面図である。
【符号の説明】
【００１４】
１  撹拌部
２  フレ−ム
２ｂ、２ｃ  フレ−ム片
２ｄ、２ｅ  溝
３  刃
Ａ  空間部
【図１】
2010004833.tif 000003
【図２】
2010004833.tif 000004
【図３】
2010004833.tif 000005